(57)【要約】【課題】無線ＬＡＮ基地局の探索時における携帯電話端末からの通信データにより携帯電話端末の使用者の個人情報（プライバシ）が他人に漏洩するのを防止可能にする無線ＬＡＮ内蔵型携帯電話端末、携帯電話システムおよびその個人情報保護方法を提供する。【解決手段】携帯電話端末１０は、携帯電話機能部１１、携帯電話網送受信部１４、無線ＬＡＮ送受信部１３および無線ＬＡＮ接続制御部１２に加えて、無線ＬＡＮ接続制御部１２および携帯電話網送受信部１４に接続されたＳＳＩＤ・ＭＡＣアドレス管理部１５を備えている。このＳＳＩＤ・ＭＡＣアドレス管理部１５は、携帯電話網送受信部１４および携帯電話基地局２３を経由して、携帯電話網２４に接続されたＭＡＣアドレス管理サーバ２５から１以上の一時ＭＡＣアドレスをその使用期限と共に割り当てられ、無線ＬＡＮ基地局２１の探索時に割り当てられた一時ＭＡＣアドレスを使用する。【選択図】図１
2007043259.tif 000002
【特許請求の範囲】
【請求項１】
携帯電話網送受信部により携帯電話基地局を介して携帯電話網の相手と通信可能とすると共に、無線ＬＡＮ送受信部により無線ＬＡＮ基地局を介してインターネット等に接続可能に構成された無線ＬＡＮ内蔵型携帯電話端末において、
前記無線ＬＡＮ送受信部の接続を制御する無線ＬＡＮ接続制御部および前記携帯電話網送受信部に接続され、ＳＳＩＤ・ＭＡＣアドレスを管理するＳＳＩＤ・ＭＡＣアドレス管理部を備えることを特徴とする無線ＬＡＮ内蔵型携帯電話端末。
【請求項２】
前記ＳＳＩＤ・ＭＡＣアドレス管理部は、一時的に使用可能な１以上の一時ＭＡＣアドレスを保存管理し、前記無線ＬＡＮ接続制御部が前記一時ＭＡＣアドレスを取得可能にすることを特徴とする請求項１に記載の無線ＬＡＮ内蔵型携帯電話端末。
【請求項３】
前記一時ＭＡＣアドレスは、予め決定された一定の使用期限を有し、該使用期限が過ぎると削除されることを特徴とする請求項２に記載の無線ＬＡＮ内蔵型携帯電話端末。
【請求項４】
前記ＳＳＩＤ・ＭＡＣアドレス管理部は、前記一時ＭＡＣアドレスと共に固有ＭＡＣアドレスを含むことを特徴とする請求項２又は３に記載の無線ＬＡＮ内蔵型携帯電話端末。
【請求項５】
無線ＬＡＮ内蔵型携帯電話端末と、該無線ＬＡＮ内蔵型携帯電話端末の携帯電話網送受信部により携帯電話基地局を介して接続される携帯電話網と、前記無線ＬＡＮ内蔵型携帯電話端末の無線ＬＡＮ送受信部から無線ＬＡＮ基地局を介して接続されるインターネット等のネットワークとを含む携帯電話システムにおいて、
前記無線ＬＡＮ内蔵型携帯電話端末は、前記無線ＬＡＮ送受信部の接続制御を行う無線ＬＡＮ接続制御部と前記携帯電話網送受信部に接続されＳＳＩＤ・ＭＡＣアドレスを管理するＳＳＩＤ・ＭＡＣアドレス管理部を備え、
前記携帯電話網には、前記ＳＳＩＤ・ＭＡＣアドレス管理部に１以上の一時ＭＡＣアドレスを割り当てるＭＡＣアドレス管理サーバが設けられていることを特徴とする携帯電話システム。
【請求項６】
前記ＭＡＣアドレス管理サーバは、無線ＬＡＮ内蔵型携帯電話端末の電話番号と対応して前記割り当てられた一時ＭＡＣアドレスをＭＡＣアドレス管理表で管理することを特徴とする請求項５に記載の携帯電話システム。
【請求項７】
前記一時ＭＡＣアドレスは、予め決められた使用期限を有し、該使用期限が過ぎると削除されることを特徴とする請求項５又は６に記載の携帯電話システム。
【請求項８】
携帯電話網送受信部および無線ＬＡＮ送受信部を備え、前記携帯電話網送受信部および携帯電話基地局を介して相手と通信可能であると共に、前記無線ＬＡＮ送受信部および無線ＬＡＮ基地局を介してインターネット経由で相手と通信可能である無線ＬＡＮ内蔵型携帯電話端末の個人情報保護方法において、
前記携帯電話端末は、前記携帯電話基地局を介して通信可能な携帯電話網に設けられたＭＡＣアドレス管理サーバから一時的に使用可能なＭＡＣアドレスを取得するステップと、該取得したＭＡＣアドレスを使用期限と共に管理するステップと、前記取得した一時ＭＡＣアドレスを使用して前記無線ＬＡＮ基地局を探索するステップとを備えることを特徴とする無線ＬＡＮ内蔵型携帯電話端末の個人情報保護方法。
【請求項９】
前記ＭＡＣアドレス管理サーバは、前記携帯電話端末に対して１以上の一時ＭＡＣアドレスを使用期限と共に割り当て、該一時ＭＡＣアドレスは、使用期限が過ぎると削除されることを特徴とする請求項８に記載の無線ＬＡＮ内蔵型携帯電話端末の個人情報保護方法。
【請求項１０】
前記無線ＬＡＮ内蔵型携帯電話端末は、前記無線ＬＡＮ基地局の探索時に前記一時ＭＡＣアドレスを別の一時ＭＡＣアドレスに変更することを特徴とする請求項８又は９に記載の無線ＬＡＮ内蔵型携帯電話端末の個人情報保護方法。
【請求項１１】
前記一時ＭＡＣアドレスの変更は、無線ＬＡＮリンクの切断時又は一定時間経過後に行うことを特徴とする請求項１０に記載の無線ＬＡＮ内蔵型携帯電話端末の個人情報保護方法。
【発明の詳細な説明】
【技術分野】
【０００１】
本発明は携帯電話端末、携帯電話システムおよびその個人情報保護方法に関し、特に無線ＬＡＮ（Local Area Network）を内蔵する無線ＬＡＮ内蔵型携帯電話端末、携帯電話システムおよびその個人情報（又はプライバシ）保護方法に関する。
【背景技術】
【０００２】
通信手段として携帯電話、ＰＨＳ（Personal Handy-phone System）、ＰＤＡ(Personal Digital Assistant)等の携帯通信端末が普及している。斯かる携帯通信端末（以下、携帯電話という）は、比較的狭いサービスエリアを有する複数の無線基地局のうち最寄の基地局を介して公衆電話網等の通信回線に接続されて、他の携帯電話、固定電話、ＰＣ（パーソナルコンピュータ）等の通信装置に接続可能に構成されている。斯かる携帯電話は、ますます多機能化且つ高性能化している。
【０００３】
一方、ＰＣも広く普及し、多機能化および高性能化が急速に進んでいる。例えば、無線ＬＡＮが組み込まれたＰＣが開発されている。無線ＬＡＮの安価な運用費、速い通信速度および利便性のために、斯かる無線ＬＡＮを内蔵するＰＣも情報端末又は通信端末として急速に普及している。
【０００４】
上述の如き携帯電話の従来技術は、種々の技術文献に開示されている。ネットワークを介して接続された通信制御装置を介して通信端末間で通信する通信システム、通信方法および通信制御装置が開示されている（例えば、特許文献１参照）。また、ＰＰＰ（Point-to-Point Protocol）のセッションに対して一時的なＭＡＣ（Media Access Control）アドレスを割り当て、セッション解放時にこのＭＡＣアドレスを解放するプロトコル変換通信方法およびこの変換機能を備えた中継装置が開示されている（例えば、特許文献２参照）。更に、ＭＡＣアドレスから臨時アドレスセットを生成し、その中から臨時アドレスを選択するユーザの匿名性保証方法およびそのための無線ＬＡＮシステムが開示されている（例えば、特許文献３参照）。
【０００５】
【特許文献１】特開２００３−６９６２６号公報（第４−５頁、第２図）
【特許文献２】特開２００３−２３４７９５号公報（第４ページ、第１図）
【特許文献３】特開２００４−４０８０６号公報（第５−６頁、第２−３図）
【０００６】
図５は、従来の無線ＬＡＮを内蔵する携帯電話の基本構成を示すブロック図である。図５において、無線ＬＡＮを内蔵する携帯電話５０は、携帯電話機能部５１、無線ＬＡＮ接続制御部５２、無線ＬＡＮ送受信部５３および携帯電話網送受信部５４を備えている。
【０００７】
ここで、携帯電話機能部５１は、音声通話、ＴＶ電話、電子メール、ＷＥＢ閲覧等の機能を有する。無線ＬＡＮ接続制御部５２は、無線ＬＡＮ送受信部５３に接続されている。また、無線ＬＡＮ送受信部５３および携帯電話網送受信部５４は、携帯電話機能部５１に接続されている。また、無線ＬＡＮ送受信部５３は、無線ＬＡＮ基地局６１ａ又は６１ｂ、更にインターネット６２を介して通話相手やサーバ等に接続される。一方、携帯電話網送受信部５４は、最寄の携帯電話基地局６３および携帯電話網６４を介して通話相手やサーバ等に接続される。
【０００８】
図５に示す如く構成された携帯電話５０は、ノートブック型ＰＣとは異なり、ユーザ（利用者）は安易に無線ＬＡＮ基地局６１に接続されると考えられる。また、接続しないとしても、周囲の無線ＬＡＮ基地局６１の探索を行い、無線ＬＡＮが使用可能か否かを定期的に確認することになる。
【０００９】
図６は、図５に示す従来の無線ＬＡＮを内蔵する携帯電話５０と無線ＬＡＮ基地局６１等との通信ステップ（プロトコル）を示すシーケンス図である。先ず、携帯電話５０の無線ＬＡＮ接続制御部５２は、無線ＬＡＮ送受信部５３に対して周囲探索／接続を要求する（ステップＡ１）。そこで、無線ＬＡＮ送受信部５３は、最寄の無線ＬＡＮ基地局６１ａに対して周囲探索要求／データ送信を行う（ステップＡ２）。そして、無線ＬＡＮ基地局６１ａは、無線ＬＡＮ送受信部５３に対して周囲探索応答／データ送信を行う（ステップＡ３）。無線ＬＡＮ送受信部５３は、無線ＬＡＮ基地局６１ａからの切断を検出すると、この切断検出を無線ＬＡＮ接続制御部５２へ送る（ステップＡ４）。
【００１０】
次に、携帯電話５０が移動したと仮定する。携帯電話５０の無線ＬＡＮ接続制御部５２は、無線ＬＡＮ送受信部５３に対して周囲探索／接続を送る（ステップＡ５）。そこで、無線ＬＡＮ送受信部５３は、別の無線ＬＡＮ基地局６１ｂに周囲探索要求／データ送信を行う（ステップＡ６）。そして、無線ＬＡＮ基地局６１ｂは、携帯電話５０の無線ＬＡＮ送受信部５３に周囲探索応答／データ送信を行い（ステップＡ７）、更に無線ＬＡＮ送受信部５３は無線ＬＡＮ接続制御部５２に切断検出を送る（ステップＡ８）。携帯電話５０が更に移動すると、上述と同様に、周囲探索／接続（ステップＡ９）、周囲探索要求／データ送信（ステップＡ１０）および周囲探索応答／データ送信（ステップＡ１１）を行う。
【００１１】
図６に示す如く、無線ＬＡＮ送受信部５３は、偽基地局又は観測者６０に対しても周囲探索要求／データ送信を行う。そこで、偽基地局又は観測者６０は、送信元アドレスの取得が可能である。これにより、定点観測又は関連性の追跡が可能である。
【００１２】
無線ＬＡＮ装置が安価であるため、通信モニタも安価に入手可能である。無線ＬＡＮは固有のＭＡＣアドレスを使って通信するが、ＭＡＣアドレスはデータのヘッダ部にあるために暗号化されない。無線ＬＡＮ基地局６１に接続しない場合でも、周囲に無線ＬＡＮ基地局があるか否かを探索するのみで制御用のパケットが送信される。これらのパケットは、通信モニタを使用することにより、携帯電話５０に固有のＭＡＣアドレスの観測が可能である。また、無線ＬＡＮ装置は安価であるため、接続に制限を設けない無線ＬＡＮ基地局を運用することも簡単である。この無線ＬＡＮ基地局（例えば、偽基地局６０）に接続すると、この無線ＬＡＮ基地局の運用者は、ＭＡＣアドレスを容易に確認することが可能であるので、プライバシの取得又は漏洩が行われることを意味する。
【発明の開示】
【発明が解決しようとする課題】
【００１３】
上述の如く、携帯電話に内蔵された無線ＬＡＮのＭＡＣアドレスを監視することにより、携帯電話５０の利用者が何時、何処にいるか監視可能になり、利用者のプライバシが保護できない。この対策として、ＭＡＣアドレスをランダムに変更して携帯電話の利用者が特定されないようにすることも可能ではある。しかし、周囲の携帯電話との間でＭＡＣアドレスの衝突が発生し、通信不能又は意図しない通信ハイジャックが起こり得る。そこで、事前に周囲とＭＡＣアドレスを調停する方法も考えられるが、通信中に同じＭＡＣアドレスを有する利用者が近隣に移動してきた場合には対応できないこととなる。
【００１４】
また、公衆無線ＬＡＮでは、ＭＡＣアドレスに依存しない認証方法も提案され且つ実用化されている。しかし、端末のＭＡＣアドレスを使用して制限する既存の無線ＬＡＮの運用方法との互換性が失われてしまうという別の課題を有する。
【００１５】
本発明は、従来技術の上述した課題に鑑みなされたものであり、斯かる課題を克服又は軽減する無線ＬＡＮ内蔵型携帯電話、携帯電話システムおよびその個人情報保護方法を提供することを目的とする。
【課題を解決するための手段】
【００１６】
前述の課題を解決するため、本発明による無線ＬＡＮ内蔵型携帯電話端末、携帯電話システムおよびその個人情報保護方法は、次のような特徴的な構成を採用している。
【００１７】
（１）携帯電話網送受信部により携帯電話基地局を介して携帯電話網の相手と通信可能とすると共に、無線ＬＡＮ送受信部により無線ＬＡＮ基地局を介してインターネット等に接続可能に構成された無線ＬＡＮ内蔵型携帯電話端末において、
前記無線ＬＡＮ送受信部の接続を制御する無線ＬＡＮ接続制御部および前記携帯電話網送受信部に接続され、ＳＳＩＤ・ＭＡＣアドレスを管理するＳＳＩＤ・ＭＡＣアドレス管理部を備える無線ＬＡＮ内蔵型携帯電話端末。
（２）前記ＳＳＩＤ・ＭＡＣアドレス管理部は、一時的に使用可能な１以上の一時ＭＡＣアドレスを保存管理し、前記無線ＬＡＮ接続制御部が前記一時ＭＡＣアドレスを取得可能にする上記（１）の無線ＬＡＮ内蔵型携帯電話端末。
（３）前記一時ＭＡＣアドレスは、予め決定された一定の使用期限を有し、該使用期限が過ぎると削除される上記（２）の無線ＬＡＮ内蔵型携帯電話端末。
（４）前記ＳＳＩＤ・ＭＡＣアドレス管理部は、前記一時ＭＡＣアドレスと共に固有ＭＡＣアドレスを含む上記（２）又は（３）の無線ＬＡＮ内蔵型携帯電話端末。
（５）無線ＬＡＮ内蔵型携帯電話端末と、該無線ＬＡＮ内蔵型携帯電話端末の携帯電話網送受信部により携帯電話基地局を介して接続される携帯電話網と、前記無線ＬＡＮ内蔵型携帯電話端末の無線ＬＡＮ送受信部から無線ＬＡＮ基地局を介して接続されるインターネット等のネットワークとを含む携帯電話システムにおいて、
前記無線ＬＡＮ内蔵型携帯電話端末は、前記無線ＬＡＮ送受信部の接続制御を行う無線ＬＡＮ接続制御部と前記携帯電話網送受信部に接続されＳＳＩＤ・ＭＡＣアドレスを管理するＳＳＩＤ・ＭＡＣアドレス管理部を備え、
前記携帯電話網には、前記ＳＳＩＤ・ＭＡＣアドレス管理部に１以上の一時ＭＡＣアドレスを割り当てるＭＡＣアドレス管理サーバが設けられている携帯電話システム。
（６）前記ＭＡＣアドレス管理サーバは、無線ＬＡＮ内蔵型携帯電話端末の電話番号と対応して前記割り当てられた一時ＭＡＣアドレスをＭＡＣアドレス管理表で管理する上記（５）の携帯電話システム。
（７）前記一時ＭＡＣアドレスは、予め決められた使用期限を有し、該使用期限が過ぎると削除される上記（５）又は（６）の携帯電話システム。
（８）携帯電話網送受信部および無線ＬＡＮ送受信部を備え、前記携帯電話網送受信部および携帯電話基地局を介して相手と通信可能であると共に、前記無線ＬＡＮ送受信部および無線ＬＡＮ基地局を介してインターネット経由で相手と通信可能である無線ＬＡＮ内蔵型携帯電話端末の個人情報保護方法において、
前記携帯電話端末は、前記携帯電話基地局を介して通信可能な携帯電話網に設けられたＭＡＣアドレス管理サーバから一時的に使用可能なＭＡＣアドレスを取得するステップと、該取得したＭＡＣアドレスを使用期限と共に管理するステップと、前記取得した一時ＭＡＣアドレスを使用して前記無線ＬＡＮ基地局を探索するステップとを備える無線ＬＡＮ内蔵型携帯電話端末の個人情報保護方法。
（９）前記ＭＡＣアドレス管理サーバは、前記携帯電話端末に対して１以上の一時ＭＡＣアドレスを使用期限と共に割り当て、該一時ＭＡＣアドレスは、使用期限が過ぎると削除される上記（８）の無線ＬＡＮ内蔵型携帯電話端末の個人情報保護方法。
（１０）前記無線ＬＡＮ内蔵型携帯電話端末は、前記無線ＬＡＮ基地局の探索時に前記一時ＭＡＣアドレスを別の一時ＭＡＣアドレスに変更する上記（８）又は（９）の無線ＬＡＮ内蔵型携帯電話端末の個人情報保護方法。
（１１）前記一時ＭＡＣアドレスの変更は、無線ＬＡＮリンクの切断時又は一定時間経過後に行う請求項１０の無線ＬＡＮ内蔵型携帯電話端末の個人情報保護方法。
【発明の効果】
【００１８】
本発明の無線ＬＡＮ内蔵型携帯電話、携帯電話システムおよびその個人情報保護方法によると、次の如き実用上の顕著な効果が得られる。即ち、善意により誰でも接続を許すサービスを提供する無線ＬＡＮ基地局の運営者、悪意を持って偽の無線ＬＡＮ基地局を設置する者又は無線ＬＡＮを監視する者に対して、無線ＬＡＮ内蔵型携帯電話の利用者の個人情報（プライバシ）を保護することが可能である。また、安価に構築可能な既存の無線ＬＡＮ装置と互換性を有する。従来から使用されているＭＡＣアドレスを使用する接続認証方式にも対応するので、現在の利便性を損なうことはない。携帯電話網内のＭＡＣアドレス管理サーバでＭＡＣアドレスを管理するため、ＭＡＣアドレスの衝突が生じることはない。また、携帯電話網経由で一時ＭＡＣアドレスを割り当てるので、安全に割り当てが可能である。複数のＭＡＣアドレスの割り当てが可能であるので、携帯電話網に接続できない場所でも無線ＬＡＮが利用できる。
【００１９】
換言すると、本発明によると、携帯電話端末が送信元ＭＡＣアドレスを変換（又は変更）するので、移動先において無線ＬＡＮのリンクレベルのアドレスを変換して、無線通信の状況から携帯電話端末を隠蔽することが可能である。また、携帯電話端末が無線ＬＡＮ通信を行う際のＭＡＣアドレスを変換し且つＭＡＣアドレスは携帯電話網側のＭＡＣアドレス管理サーバから割り当てを受けるので、既存の無線ＬＡＮ通信に適用可能でき且つ８０２．１ｘ等の認証方式も行え、無線ＬＡＮを傍受しても携帯電話端末を隠蔽可能である。更に、本発明によると、無線接続ノードに接続する前にＭＡＣアドレス管理サーバから一時ＭＡＣアドレス割り当てを受けるので、全ての無線ＬＡＮパケットのＭＡＣアドレス変更が可能であり、携帯電話端末を隠蔽できると共に既存の無線ＬＡＮアクセスポイントにおいても利用可能である。
【発明を実施するための最良の形態】
【００２０】
以下、本発明による無線ＬＡＮ内蔵型携帯電話端末、携帯電話システムおよびその個人情報保護方法の好適実施形態の構成および動作を、添付図面を参照して詳細に説明する。
【００２１】
先ず、図１は、本発明による携帯電話システムの好適実施形態の全体構成を示す機能ブロック図である。この携帯電話システムにおいて、無線ＬＡＮ内蔵型携帯電話端末（以下、単に携帯電話という）１０は、
携帯電話機能部１１、携帯電話網送受信部１４、無線ＬＡＮ送受信部１３、無線ＬＡＮ接続制御部１２およびＳＳＩＤ・ＭＡＣアドレス管理部１５により構成される。
【００２２】
この携帯電話システムは、携帯電話１０に加えて、無線ＬＡＮ送受信部１３に接続される複数の無線ＬＡＮ基地局２１ａ、２１ｂ、インターネット等のネットワーク２２を含んでいる。更に、携帯電話網送受信部１４に接続される携帯電話基地局２３、携帯電話網２４およびこの携帯電話網２４に接続されたＭＡＣアドレス管理サーバ２５を含んでいる。そして、携帯電話１０のＳＳＩＤ・ＭＡＣアドレス管理部１５は、無線ＬＡＮ接続制御部１２および携帯電話網送受信部１４に接続されている。
【００２３】
次に、図２のシーケンス図を参照して、図１に示す本発明の携帯電話システムの動作を説明する。図２は、本発明の携帯電話システムの一時ＭＡＣアドレス取得処理を示すシーケンス図である。即ち、携帯電話１０側の携帯電話網送受信部１４およびＳＳＩＤ・ＭＡＣアドレス管理部１５、携帯電話網２４およびＭＡＣアドレス管理サーバ２５相互間における一時ＭＡＣアドレス取得動作を説明する。
【００２４】
先ず、ＳＳＩＤ・ＭＡＣアドレス管理部１５は、携帯電話１０に備えられている携帯電話網通信によるＷＥＢアクセス方式を用いて、ＭＡＣアドレス管理サーバ２５に対して一時的に利用可能なＭＡＣアドレスの取得を要求し、ＭＡＣアドレス管理サーバ２５は、この一時
ＭＡＣアドレス取得要求を受信する（ステップＳ２１）。要求から携帯電話番号を取得する。ＭＡＣアドレス管理サーバ２５は、センター側ＭＡＣアドレス管理表２５１を参照し、携帯電話番号に対して1つ以上の適当な一時ＭＡＣアドレスと使用期限を割り当てて管理表を更新する（ステップＳ２２）。尚、図２に例示する如く、センター側ＭＡＣアドレス管理表２５１は、携帯電話番号に対応して割り当てられた一時ＭＡＣアドレスおよびその使用期限を一体として管理する。
【００２５】
携帯電話１０のＳＳＩＤ・ＭＡＣアドレス管理部１５は、 ＭＡＣアドレス管理サーバ２５からの応答から、一時ＭＡＣアドレスおよび使用期限を取得する（ステップＳ２３）。そして、
端末側ＳＳＩＤ・ＭＡＣアドレス管理表１５１に保存する（ステップＳ２４）。尚、図２に例示する如く、端末側ＳＳＩＤ・ＭＡＣアドレス管理表１５１は、割り当てられた複数の一時ＭＡＣアドレスおよび各一時ＭＡＣアドレスの使用期限と共に携帯電話１０の利用者（ユーザ）により予め選択された固定ＭＡＣアドレスを含んでいる。また、携帯電話１０からＭＡＣアドレス管理サーバ２５への接続は、ＳＳＬ（Secure Socket Layer）による暗号化を行ってもよい。
【００２６】
使用期限を過ぎた一時ＭＡＣアドレスは、携帯電話１０のＳＳＩＤ・ＭＡＣアドレス管理部１５により 削除される。同時に、ＭＡＣアドレス管理サーバ２５がセンター側ＭＡＣアドレス管理表２５１から削除する。携帯電話１０およびサーバ間に時刻差が生じるため、携帯電話１０は応答取得時刻からの時間差で管理してもよい。端末（又は携帯電話）側ＳＳＩＤ・ＭＡＣアドレス管理表１５１は、携帯電話固有のＭＡＣアドレスを使って接続するためのＳＳＩＤ管理表も持っている。ＳＳＩＤ管理表には、無線ＬＡＮ基地局２１を特定するためのＥＳＳＩＤとＢＳＳＩＤが含まれ、利用者が予め設定する。ＭＡＣアドレス管理サーバ２５のＭＡＣアドレス割り当てにおいて、携帯電話１０が特定されないように、相関関係がない割り当てを行うことに留意されたい。
【００２７】
次に、図３のシーケンス図を参照してＭＡＣアドレス選択処理について説明する。図３は、携帯電話１０、特にそのＳＳＩＣ・ＭＡＣアドレス管理部１５、無線ＬＡＮ接続制御部１２および無線ＬＡＮ送受信部１３と無線ＬＡＮ基地局２１ａ間のＭＡＣアドレス処理動作を示す。
【００２８】
先ず、携帯電話１０の無線ＬＡＮ接続制御部１２は、周囲の無線ＬＡＮ基地局２１を探索する前に、ＳＳＩＤ・ＭＡＣアドレス管理部１５から一時ＭＡＣアドレスを取得する（ステップＳ３１）。ここで使用期限が切れていない一時ＭＡＣアドレスがない場合には、ＭＡＣアドレス管理サーバ２５に問い合わせて新たに一時ＭＡＣアドレスを取得する。
【００２９】
次に、無線ＬＡＮ送受信部１３に一時ＭＡＣアドレスを設定する（ステップＳ３２）と共に接続先ＳＳＩＤを探索する（ステップＳ３３）。そして、
無線ＬＡＮ送受信部１３は、この取得した一時ＭＡＣアドレスを使って周囲の無線ＬＡＮ基地局２１を探索する（ステップＳ３４）。
【００３０】
無線ＬＡＮ送受信部１３は、無線ＬＡＮ基地局２１ａからの応答を得ると（ステップＳ３５）、 接続先ＳＳＩＤの探索結果を無線ＬＡＮ接続制御部１２に返す（ステップＳ３６）。無線ＬＡＮ接続制御部１２は、予め設定された優先度等により接続先ＳＳＩＤを選択する。そして、
選択したＳＳＩＤを持つ基地局無線ＬＡＮ基地局２１に対して、どのＭＡＣアドレスで通信するかをＳＳＩＤ・ＭＡＣアドレス管理部１５に問い合わせる（ステップＳ３７）。
【００３１】
ここで、接続先ＳＳＩＤが固有ＭＡＣアドレスを使う場合には、携帯電話購入時から設定されている固有ＭＡＣアドレスを返す（ステップＳ３８およびＳ３９）。一方、接続先ＳＳＩＤが固有のＭＡＣアドレスを使わなくてよい場合には、一時ＭＡＣアドレスを返す（ステップＳ４０およびＳ４１）。使用期限が切れていない一時ＭＡＣアドレスを複数保持する場合には、ここではその選択方式を制限しない。
【００３２】
無線ＬＡＮ接続制御部１２は、取得したＭＡＣアドレスを無線ＬＡＮ送受信部１３に設定する。  無線ＬＡＮ接続制御部１２は、無線ＬＡＮ送受信部１３に接続要求を行う（ステップＳ４２）。携帯電話１０と無線ＬＡＮ基地局２１との接続処理（即ち、無線リンク確立処理）が行われ、携帯電話１０は無線ＬＡＮ基地局２１ａを介して無線ＬＡＮ通信が可能となる（ステップＳ４３）。
【００３３】
次に、携帯電話１０の移動時のＭＡＣアドレス変更処理動作について説明する。移動時に、現在の場所で無線ＬＡＮが使用可能か否かを周囲に問い合わせるが、問い合わせ時は一時ＭＡＣアドレスを使って行う。ある無線ＬＡＮ基地局２１に接続して通信後、無線ＬＡＮリンクを切断したときは、一時ＭＡＣアドレスを別のものに変更する。また、周囲の無線ＬＡＮ基地局の探索だけ行っている場合でも、一定時間経過後に一時ＭＡＣアドレスを別のものに変更する。
【００３４】
図４のシーケンス図に基づいて少し詳細に説明する。携帯電話１０のＳＳＩＤ・ＭＡＣアドレス管理部１５および無線ＬＡＮ接続制御部１２間で、上述の如く一時ＭＡＣアドレスを取得する（ステップＳ５１）。無線ＬＡＮ接続制御部１２は、無線ＬＡＮ送受信部１３に一時ＭＡＣアドレスを設定する（ステップＳ５２）。無線ＬＡＮ送受信部１３は、周囲無線ＬＡＮ基地局（例えば、無線ＬＡＮ基地局２１ａ）に探索要求／データ送信を行い（ステップＳ５３）、周囲探索応答／データ送信を得る（ステップＳ５４）。
【００３５】
ここで、携帯電話１０が移動した場合には、一時ＭＡＣアドレス変更判定（リンク切断／一定時間経過）のために、一時ＭＡＣアドレス取得（ステップＳ５５）および一時ＭＡＣアドレス設定（ステップＳ５６）を行う。そして、無線ＬＡＮ送受信部１３は、例えば無線ＬＡＮ基地局２１ｂに周囲探索要求／データ送信を行い（ステップＳ５７）、この無線ＬＡＮ基地局２１ｂから周囲探索応答／データ送信を受ける（ステップＳ５８）。
【００３６】
更に、携帯電話１０が移動すると、上述の如く、一時ＭＡＣアドレス変更判定（リンク切断／一定時間経過）のために、一時ＭＡＣアドレス取得（ステップＳ５９）および一時ＭＡＣアドレス設定（ステップＳ６０）を行う。そして、無線ＬＡＮ送受信部１３は、偽基地局又は観測者３０に周囲探索要求し（ステップＳ６１）、周囲探索応答を得る（ステップＳ６２）。
【００３７】
しかし、携帯電話１０が移動する各段階で、携帯電話装置１０の無線ＬＡＮ送受信部１３から偽基地局又は観測者３０が周囲探索要求／データ送信を受けて送信元アドレスを取得しても、これら送信元ＭＡＣアドレスは、一時ＭＡＣアドレスであり、同一ＭＡＣアドレスではないので、携帯電話１０の利用者（又はユーザ）のプライバシ（又は個人情報）が漏れる恐れはないことに注目されたい。
【００３８】
以上、本発明による無線ＬＡＮ内蔵型携帯電話端末、携帯電話システムおよびその個人情報保護方法の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途又は要求に応じて種々の変形変更が可能であること、当業者には容易に理解できよう。例えば、携帯電話からＭＡＣアドレス管理サーバへの接続は、携帯電話網通信によるＷＥＢアクセス方式に限定しない。携帯電話網の制御信号に含めてもよい。また、ＭＡＣアドレス管理サーバが端末（携帯電話装置）を識別するための識別子は、携帯電話番号に限定されるものではない。ＳＩＭカードの加入者識別番号等を使用してもよい。端末のＳＩＭカードを入れ替えた場合には、端末側の一時ＭＡＣアドレスの管理表を初期化し、ＭＡＣアドレス管理サーバに再度問い合わせするようにしてもよい。
【図面の簡単な説明】
【００３９】
【図１】本発明による携帯電話装置の好適実施形態の機能ブロック図である。
【図２】図１の携帯電話装置における一時ＭＡＣアドレス取得処理動作を説明するシーケンス図である。
【図３】図１に示す携帯電話装置におけるＭＡＣアドレス選択処理動作を説明するシーケンス図である。
【図４】図１に示す携帯電話装置の移動時におけるＭＡＣアドレス変更処理動作を説明するシーケンス図である。
【図５】従来の無線ＬＡＮ内蔵型携帯電話の機能ブロック図である。
【図６】図５に示す無線ＬＡＮ内蔵型携帯電話の動作を説明するシーケンス図である。
【符号の説明】
【００４０】
１０  携帯電話（無線ＬＡＮ内蔵型携帯電話端末）
１１  携帯電話機能部
１２  無線ＬＡＮ接続制御部
１３  無線ＬＡＮ送受信部
１４  携帯電話網送受信部
１５  ＳＳＩＤ・ＭＡＣアドレス管理部
２１  無線基地局
２２  インターネット
２３  携帯電話基地局
２４  携帯電話網
２５  ＭＡＣアドレス管理サーバ
１５１  端末側ＳＳＩＤ・ＭＡＣアドレス管理表
２５１  センター側ＭＡＣアドレス管理表
【図１】
2007043259.tif 000003
【図２】
2007043259.tif 000004
【図３】
2007043259.tif 000005
【図４】
2007043259.tif 000006
【図５】
2007043259.tif 000007
【図６】
2007043259.tif 000008